(57)【要約】      （修正有）【課題】推進システムの総合的な信頼性が高いターボプロップ推進装置を提供する。【解決手段】本発明のターボプロップ推進装置は、航空機用ガスタービンエンジンにより駆動される少なくとも１個の推進型プロペラ５、６を備え、航空機用ガスタービンエンジンは飛行方向において推進型プロペラ５、６の前方に配置され、タービン排気口部は飛行方向において前部に配置され、コンプレッサ部１４は推進型プロペラ５、６に向けて配置される。【選択図】図１
2010196699.tif 000002
【特許請求の範囲】
【請求項１】
航空機用ガスタービンエンジンにより駆動される少なくとも１個の推進型プロペラ（５、６）を備え、
前記航空機用ガスタービンエンジンは飛行方向において前記推進型プロペラ（５、６）の前方に配置され、
タービン排気口部（９）は飛行方向において前部に配置され、
コンプレッサ部（１４）は前記推進型プロペラ（５、６）に向けて配置されることを特徴とするターボプロップ推進装置。
【請求項２】
タービン軸は前記推進型プロペラ（５、６）に向かって伸長し、前記推進型プロペラ（５、６）を駆動するギア（１２）に接続されることを特徴とする請求項１に記載のターボプロップ推進装置。
【請求項３】
少なくとも１個の吸気管（１１）は流入空気を前記コンプレッサ（１４）の方へ方向転換し、前記コンプレッサ（１４）の流入部分内に伸長することを特徴とする請求項１又は請求項２に記載のターボプロップ推進装置。
【請求項４】
少なくとも１個の排出ガス流管（１０）は、排出ガス流を前記推力プロペラ（５、６）方向へ方向転換することを特徴とする請求項１から請求項３までのいずれか１項に記載のターボプロップ推進装置。
【請求項５】
前記排出ガス流管（１０）は飛行方向に沿って見た場合、前記ターボプロップ推進装置の前方部分内に伸長し、排出ガスを前記ノズル（９）の方へ方向転換することを特徴とする請求項４に記載のターボプロップ推進装置。
【請求項６】
前記吸気管（１１）および前記排出ガス流管（１０）は前記ターボプロップ推進装置の周方向においてオフセット配置されることを特徴とする請求項３から請求項５までのいずれか１項に記載のターボプロップ推進装置。
【請求項７】
複数の吸気管（１１）および／又は複数の排出ガス流管（１０）を備えることを特徴とする請求項３から請求項５までのいずれか１項に記載のターボプロップ推進装置。
【請求項８】
２個の二重反転推進型プロペラ（５、６）用に構成されることを特徴とする請求項１から請求項７までのいずれか１項に記載のターボプロップ推進装置。
【発明の詳細な説明】
【技術分野】
【０００１】
本発明は、航空機用ガスタービンエンジンにより駆動される少なくとも１個の推進型プロペラを備えるターボプロップ推進装置に関する。
【背景技術】
【０００２】
最新技術によれば、ターボプロップ推進装置に航空機用ガスタービンエンジンを用いること、および推進型プロペラを利用することは公知である。飛行方向に沿って見た場合、航空機用ガスタービンエンジンは１個もしくは複数の推進型プロペラの前方に配置される。より詳細には、このような推進装置は、航空機尾部構造として公知である。
【０００３】
公知のターボプロップ推進装置において、航空機用ガスタービンエンジンは通常の気流の方向に配置される。すなわち、航空機用ガスタービンエンジンは（航空機の長さ方向の軸に対して）前方方向から気流を受け、これにより、通常の構造においては流入空気は燃焼室に到達する前にコンプレッサを通過し、排出ガスはタービンに供給される。この場合、コンプレッサに直接接続するピトー式流入口はエンジン室の前方部分に配置される。従って、１個もしくは複数の推進型プロペラにタービン軸を介して出力を伝達するタービンは、下流方向に配置される。この場合、出力はプロペラ減速ギアを介して、もしくは直接プロペラに伝達する。公知の配置において、更に下流方向には排出ガスを排出するためのノズルが配置される。
【０００４】
最新技術による構成は以下のような不都合を有する。
【０００５】
プロペラ駆動が高温排出ガスの出射口の直近に位置するため、プロペラはターボ機械の高温排出ガス内で動作する。これによりプロペラの寿命が大幅に減少する。更に、騒音が増大する。
【０００６】
更に、主な不都合として、高温排出ガスがプロペラギア周囲を流れるため、サスペンション構造、制御機構、およびギア自体を冷却するために相当な労力を要するという点がある。このような冷却は通常、コスト高であり重量増加の原因となる、大型の油・空気冷却器により実行される。
【０００７】
上述のような装置の他の不都合は、装置に不具合が起きやすく、短い稼動時間で大規模な分解修理が必要となることである。推進システムの総合的な信頼性が不十分である。更に、ギアおよびプロペラブレードピッチ制御機構から油が漏れた場合に火災が発生する恐れがあり、危険性が高い。
【０００８】
最新技術として、特許文献１を参照する。
【先行技術文献】
【特許文献】
【０００９】
【特許文献１】米国特許出願公開公報第２００８／２５８００５号
【発明の概要】
【００１０】
本発明は広義には、冒頭で説明したような、構成が単純で容易にコスト効率よく製造可能でありながら、最新技術における不都合を防止し、高い信頼性を有するターボプロップ推進装置を提供するものである。
【００１１】
本発明の詳細な目的は、請求項１に記載の特徴の組合せにより、上述の問題に対する解決策を提供することである。本発明の更に効果的な実施の形態は、従属請求項により明らかとなる。
【００１２】
したがって本発明によれば、航空機用ガスタービンエンジンが気流方向に対して逆方向に設置されたターボプロップ推進装置が提供される。したがって、航空機用ガスタービンエンジンは高温排出ガスが飛行方向に対して前方において出射するよう構成され、冷却器コンプレッサ部は推進型プロペラに隣接して配置される。
【００１３】
本発明の好ましい形態において、タービン軸は推進型プロペラに向かって伸長し、推進型プロペラを駆動するギアに接続される。すなわち、ギアは高温排出ガスの領域内に配置されず、これにより、高価な冷却装置を完全に省略もしくは、小型化することが可能となる。
【００１４】
プロペラ、ギア、および制御機構の熱負荷を軽減することにより、信頼性を向上し、大規模な分解修理までの稼動時間を延長することが可能となる。
【００１５】
本発明による装置はまた、ノズルから出射する排出ガスが直接プロペラに誘導されず、後方ノズル内を流れないため、騒音を軽減する。
【００１６】
更なる利点は、サスペンション構造を小型化し、その結果、軽量化することが可能な点である。
【００１７】
本発明によれば、特に好ましくは、流入空気をコンプレッサの方へ方向転換し、コンプレッサの流入部分内に伸長する少なくとも１個の吸気管を備える。これにより、供給される空気は１８０°方向転換され、飛行方向に対して後方から航空機用ガスタービンエンジンのコンプレッサに供給される。
【００１８】
また、特に好ましくは、排出ガス流を推力プロペラの方向に方向転換する排出ガス流管を備える。これにより、排出ガスもまた１８０°方向転換され、後方のプロペラ部分内へ明確に配向される。ターボプロップ推進装置の構造長により、タービンから出射し、排出ガス流管に進入した際には非常に高温であるガス流は大幅に冷却され、プロペラ部分に到達する時は例えばたった１００°Ｃとなる。好ましい実施の形態において、排出ガス流管はターボプロップ推進装置の前方部分内に伸長してもよく、これにより、コンプレッサに供給される排出ガスおよび外気の流れが遮断されないよう確実に誘導する。この場合、特に好ましくは、吸気管および排出ガス流管はターボプロップ推進装置の周方向においてオフセット配置される。
【００１９】
本発明によれば、２個の二重反転推進型プロペラ用の構成を提供することができる。
【００２０】
本発明は二重反転プロペラの尾部構造に制限されるものではなく、１個のプロペラのみを備える尾部構造もしくはプロップファン構造も含む。
【００２１】
以下に、好ましい実施の形態を示す添付の図面を参照して本発明をより詳細に説明する。
【図面の簡単な説明】
【００２２】
【図１】図１は、部分的に断面図として示す、航空機に設けられる本発明によるターボプロップ推進装置の尾部構造の部分側面図である。
【図２】図２は、簡略化した部分斜視図である。
【図３】図３は、図１と同じ部分の正面図である。
【図４】図４は、排出ガス変流ケーシングの実施の形態の概略斜視図である。
【図５】図５は、本発明による流入管の実施の形態の簡略化した斜視図である。
【発明を実施するための形態】
【００２３】
図１は、航空機の機体２３の後方部分（尾部）を示す。図３に示すように、エンジン室２はパイロン１により機体２３に取付けられる。エンジン室は、通常通り、航空機用ガスタービンエンジンを含むターボ機械を内包する。
【００２４】
エンジン室上には２個の推進型プロペラ、詳細には前プロペラ５および後プロペラ６が設けられる。図１は、前プロペラハブの整流板３および後プロペラハブの整流板４を示す。前プロペラハブ２１および後プロペラハブ２２を含む推進型プロペラ５および６は最新技術によるものであり、ここでは詳細な説明は省略する。
【００２５】
２個の推進型プロペラ５、６は、気流の方向において推進型プロペラ５、６の上流に配置されるプロペラ減速ギア１２を介して、タービン軸により駆動される。
【００２６】
本発明によれば、航空機用ガスタービンエンジンは、コンプレッサ吸気ケーシング１３が飛行方向においてプロペラ減速ギア１２の前に配置されるよう構成される。エンジン吸気口７からの空気は、流入管１１（吸気管）を介してコンプレッサ吸気ケーシング１３内に流れ込む。図１に示すように、流入空気はコンプレッサ１４内に進入する前に原則的に１８０°方向転換される。
【００２７】
空気は、飛行方向と対向する方向にコンプレッサ１４から燃焼室１５に流れ、その後、ガス発生器のタービン１６内に流れる。その後、ガスが参照番号１７で表す出力タービンを流れる。排出ガスはその後、排出ガス変流ケーシング１０（排出ガス流管）内に流れ込み、ここでは、排出ガスが約１８０°方向転換されてプロペラ５、６に向かって後方に排出される。参照番号９は、排出ガス変流ケーシング１０の整流板を備えるノズルを示す。
【００２８】
したがって、流入空気はまずプロペラ５、６に隣接する後方部分に到達し、その後、航空機用ガスタービンエンジン内を飛行方向に対向して前方に通過し、出射口において再度後方に方向転換される。
【００２９】
図１は更に、エンジンサスペンション構造の連結部１８、および図３に示す流入口８を備える空気・油冷却器１９を示す。参照番号２０はターボ機械付属部材駆動ケーシングを表わす。
【００３０】
図３は、二重反転プロペラブレードの回転方向を示す正面図である。更に、図３によれば、油冷却器への流入口８、エンジン吸気口７およびノズル９は気流が阻害されないよう周方向においてオフセット配置される。
【００３１】
図２は、図３を参照して既に説明したパイロン１、吸気／流入口７、８、およびノズル９によりエンジン室２のサスペンション構造の概略斜視図を示す。
【００３２】
図４および図５はそれぞれ、排出ガス変流ケーシング／排出ガス流管１０（図４）および流入管／吸気管１１（図５）の簡略化した斜視図を示す。
【００３３】
図４は、図示しない出力タービン１７からの排出ガスの流入、および排出ガスを２個の側方ノズル９に供給するための排出ガスの方向転換および配流を示す。排出ガスの流入口は環状である。気流の最適化を通して、ノズル９により残留推力が生成される。
【００３４】
図５は、エンジン吸気口７から、コンプレッサ吸気ケーシング１３（図１参照）に設けられる環状で放射状の流入口への、連続するディフューザ型の通気路を形成する空気流入管（吸気管）１１を示す。
【００３５】
したがって本発明によるターボプロップ推進装置は、航空機の尾部において、推力および全エンジン負荷をパイロン１を通して機体２３に伝達する。プロペラ５、６は、エンジン室２の下流において、自由なサスペンション配置で推進型プロペラ尾部構造に対応して動作する。
【００３６】
本発明においては、吸気口／流入口７、８およびノズル９を例えば環帯状もしくは複合的構造に変形してもよい。本発明によれば、気流および排出ガス流の方向転換に関し、ターボ機械を反転して構成することが重要である。
【符号の説明】
【００３７】
１  パイロン
２  エンジン室
３  前プロペラハブの整流板
４  後プロペラハブの整流板
５  前プロペラ／推進型プロペラ
６  後プロペラ／推進型プロペラ
７  エンジン吸気口
８  空気・油冷却器への流入口
９  排出ガス変流ケーシング／タービン排気口部の整流板を備えるノズル
１０  排出ガス変流ケーシング／排出ガス流管
１１  流入管／吸気管
１２  プロペラ減速ギア
１３  コンプレッサ吸気ケーシング
１４  コンプレッサ
１５  燃焼室
１６  ガス発生器のタービン
１７  出力タービン
１８  エンジンサスペンション構造の連結部
１９  （空気流入口８を備える）空気・油冷却器
２０  ターボ機械付属部材駆動ケーシング
２１  前プロペラハブ
２２  後プロペラハブ
２３  機体
【図１】
2010196699.tif 000003
【図２】
2010196699.tif 000004
【図３】
2010196699.tif 000005
【図４】
2010196699.tif 000006
【図５】
2010196699.tif 000007
【外国語明細書】
2010196699.tif 000008
2010196699.tif 000009
2010196699.tif 000010
2010196699.tif 000011
2010196699.tif 000012
2010196699.tif 000013
2010196699.tif 000014
2010196699.tif 000015
2010196699.tif 000016
2010196699.tif 000017
【図１】
2010196699.tif 000018
【図２】
2010196699.tif 000019
【図３】
2010196699.tif 000020
【図４】
2010196699.tif 000021
【図５】
2010196699.tif 000022